(57)【要約】【課題】イベント会場にコンテンツデータの制限を解除するための専用設備を必要とせず集客効果の高い携帯型コンテンツデータ再生装置を提供する。【解決手段】コンテンツデータ再生時の制限条件を含む再生制御情報と、制限条件を解除可能であるイベントの開催地域を示す制限解除地域情報及びイベントの開始日時と終了日時により開催期間を示す制限解除日時情報とを含むコンテンツデータを格納するデータ記憶部１０７と、現在位置情報を出力する位置検出部１０５と、現在時刻情報を出力する計時部１０４と、再生制御情報、位置情報及び時刻情報を格納する情報記憶部１０２と、コンテンツデータ再生時の制限を解除する制限解除部１０６と、位置情報が制限解除地域情報の範囲内で、時刻情報が制限解除日時情報の期間内の場合には制限解除部１０６に対して制限解除の指示を出力する制御部１０１とを備える。【選択図】図１
2007148884.tif 000002
【特許請求の範囲】
【請求項１】
コンテンツデータ再生時の制限条件を含む再生制御情報と、前記制限条件を解除可能であるイベントの開催地域を示す制限解除地域情報及び前記イベントの開始日時と終了日時により開催期間を示す制限解除日時情報とを含むコンテンツデータをダウンロードして格納するステップと、
現在の位置を検出して位置情報を出力するステップと、
少なくとも現在の時刻を計時して時刻情報を出力するステップと、
前記位置情報が前記制限解除地域情報の範囲内であり、前記時刻情報が前記制限解除日時情報の期間内であるか否かを判断するステップと、
前記位置情報が前記範囲内で、前記時刻情報が前記期間内である場合に制限を解除するステップと
を有することを特徴とする携帯型コンテンツデータ再生装置の制限解除方法。
【請求項２】
前記情報を格納するステップでは、前記制限条件を解除するための情報として、前記制限解除日時情報の期間内で前記制限解除地域情報の地域内に滞在する必要がある時間を含む必要滞在時間情報を格納し、
前記制限を解除するステップでは、前記制限解除日時情報の期間内で前記制限解除地域情報の地域内に位置情報が該当し始めた時の前記時刻情報から現在の時刻情報までの滞在時間を算出し、該滞在時間が前記必要滞在時間情報以上になった場合に制限を解除する
ことを特徴とする請求項１に記載の携帯型コンテンツデータ再生装置の制限解除方法。
【請求項３】
前記コンテンツデータの再生制御情報には再生時の制限条件としてブロック分割数を含み、
前記コンテンツデータを格納するステップの後に、前記コンテンツデータを、前記再生制限用のブロック分割数に従い複数のブロック部分に分割するステップを有し、
前記情報を格納するステップでは、前記コンテンツデータの各段階に対応するように設定された前記各情報を格納し、
前記制限を解除するステップでは、少なくとも前記時刻情報と前記制限解除日時情報を用いて前記制限を段階的に解除する
ことを特徴とする請求項１又は２に記載の携帯型コンテンツデータ再生装置の制限解除方法。
【請求項４】
前記情報を格納するステップでは、前記段階的な制限条件の解除が実施された回数を示す解除実施回数情報を格納し、
前記制限を解除するステップでは、前記解除実施回数情報を用いて前記制限を段階的に解除する
ことを特徴とする請求項３に記載の携帯型コンテンツデータ再生装置の制限解除方法。
【請求項５】
前記コンテンツデータの再生制御情報には、前記制限条件を解除した場合に用いられる制限解除時制御情報も含み、
前記制限を解除するステップでは、前記制限時の制御情報を前記制限解除時制御情報に入れ替えることにより前記制限を解除する
ことを特徴とする請求項１〜４の何れかに記載の携帯型コンテンツデータ再生装置の制限解除方法。
【請求項６】
前記情報を格納するステップでは、前記制限解除時制御情報が前記コンテンツデータの各段階に対応するように設定されて格納され、
前記制限を解除するステップでは、前記制限解除時制御情報を用いて前記制限を段階的に解除する
ことを特徴とする請求項５に記載の携帯型コンテンツデータ再生装置の制限解除方法。
【請求項７】
前記情報を格納するステップでは、複数の前記位置情報を格納し、
前記制限を解除するステップでは、格納された前回の位置情報と、出力された今回の位置情報を比較して携帯型コンテンツデータ再生装置が移動したか否かを判断し、移動した場合に前記制限を解除する
ことを特徴とする請求項１〜６の何れかに記載の携帯型コンテンツデータ再生装置の制限解除方法。
【請求項８】
前記情報を格納するステップでは、複数の前記位置情報を格納し、
前記制限を解除するステップでは、格納された前回の位置情報と、出力された今回の位置情報を比較して携帯型コンテンツデータ再生装置が移動したか否かを判断し、移動した場合に前記制限を段階的に解除する
ことを特徴とする請求項３又は４に記載の携帯型コンテンツデータ再生装置の制限解除方法。
【請求項９】
前記コンテンツデータの再生制御情報には、再生制限時に表示される再生制限用データを含み、
前記コンテンツデータの再生時の制限は、所定フレーム以降のコンテンツデータを再生制限用データに入れ替えることであり、
前記制限を解除するステップでは、前記再生制限用データへの入れ替えを中止させる
ことを特徴とする請求項１〜８の何れかに記載の携帯型コンテンツデータ再生装置の制限解除方法。
【請求項１０】
前記コンテンツデータの再生時の制限は、前記格納されたコンテンツデータの内の一部のデータについては再生ができないように再生制限が指示されていることであり、
前記制限を解除するステップでは、前記再生制限指示を除去する
ことを特徴とする請求項１〜８の何れかに記載の携帯型コンテンツデータ再生装置の制限解除方法。
【請求項１１】
前記コンテンツデータを格納するステップでは、前記コンテンツデータのうち、前記再生制御情報に含まれる再生制限用のブロック分割数に従い分割された最初を含む一部のブロック部分のみをダウンロードして格納し、
前記コンテンツデータの再生時の制限は、コンテンツデータのうちの格納されたブロック部分に続くブロック部分のダウンロードの中止であり、
前記制限を解除するステップでは、前記格納されたブロック部分に続くブロック部分のダウンロードを再開させる
ことを特徴とする請求項１〜８の何れかに記載の携帯型コンテンツデータ再生装置の制限解除方法。
【請求項１２】
前記コンテンツデータを格納するステップでは、前記コンテンツデータを、通常再生用に通常フレームレートで格納することに加えて、コマ落とし再生用に低フレームレートで別途に格納し、
前記コンテンツデータの再生時の制限は、前記低フレームレートで再生することであり、
前記制限を解除するステップでは、前記通常フレームレートで再生する
ことを特徴とする請求項１〜８の何れかに記載の携帯型コンテンツデータ再生装置の制限解除方法。
【請求項１３】
前記コンテンツデータを格納するステップでは、前記コンテンツデータを、通常サイズでの再生用に元のサイズで格納することに加えて、縮小サイズでの再生用に縮小サイズにして別途に格納し、
前記コンテンツデータの再生時の制限は、前記縮小サイズで再生することであり、
前記制限を解除するステップでは、前記通常サイズで再生する
ことを特徴とする請求項１〜８の何れかに記載の携帯型コンテンツデータ再生装置の制限解除方法。
【請求項１４】
少なくとも前記再生制御情報、位置情報及び時刻情報を格納するステップと、
前記コンテンツデータを再生可能なプログラムを動作させるステップ
を有することを特徴とする請求項１〜１３の何れかに記載の携帯型コンテンツデータ再生装置の制限解除方法。
【請求項１５】
コンテンツデータ再生時の制限条件を含む再生制御情報と、前記制限条件を解除可能であるイベントの開催地域を示す制限解除地域情報及び前記イベントの開始日時と終了日時により開催期間を示す制限解除日時情報とを含むコンテンツデータをダウンロードして格納するデータ記憶部と、
現在の位置を検出して位置情報を出力する位置検出部と、
少なくとも現在の時刻を計時して時刻情報を出力する計時部と、
少なくとも前記再生制御情報、位置情報及び時刻情報を格納する情報記憶部と、
前記コンテンツデータ再生時の制限を解除する制限解除部と、
前記コンテンツデータを再生可能なプログラムを動作させると共に、前記位置情報が前記制限解除地域情報の範囲内であり、前記時刻情報が前記制限解除日時情報の期間内であると判断した場合には前記制限解除部に対して制限を解除する指示を出力する制御部と
を備えることを特徴とする携帯型コンテンツデータ再生装置。
【請求項１６】
前記情報記憶部は、前記制限条件を解除するための情報として、前記制限解除日時情報の期間内で前記制限解除地域情報の地域内に滞在する必要がある時間を含む必要滞在時間情報を格納し、
前記制御部は、前記制限解除日時情報の期間内で前記制限解除地域情報の地域内に位置情報が該当し始めた時の前記時刻情報から現在の時刻情報までの滞在時間を算出し、該滞在時間が前記必要滞在時間情報以上になった場合に前記制限解除部に対して制限を解除する指示を出力する
ことを特徴とする請求項１５に記載の携帯型コンテンツデータ再生装置。
【請求項１７】
前記コンテンツデータの再生制御情報には再生時の制限条件としてブロック分割数を含み、
前記コンテンツデータを、前記再生制限用のブロック分割数に従い複数のブロック部分に分割するブロック分割部を備え、
前記情報記憶部は、前記コンテンツデータの各段階に対応するように設定された前記各情報を格納し、
前記制御部は、少なくとも前記時刻情報と前記制限解除日時情報を用いて前記制限を段階的に解除する
ことを特徴とする請求項１５又は１６に記載の携帯型コンテンツデータ再生装置。
【請求項１８】
前記情報記憶部は、前記段階的な制限条件の解除が実施された回数を示す解除実施回数情報を格納し、
前記制御部は、前記解除実施回数情報を用いて前記制限を段階的に解除する
ことを特徴とする請求項１７に記載の携帯型コンテンツデータ再生装置。
【請求項１９】
前記コンテンツデータの再生制御情報には、前記制限条件を解除した場合に用いられる制限解除時制御情報も含み、
前記制限解除部は、前記制限時の制御情報を前記制限解除時制御情報に入れ替えることにより前記制限を解除する
ことを特徴とする請求項１５〜１８の何れかに記載の携帯型コンテンツデータ再生装置。
【請求項２０】
前記制限解除時制御情報は、前記コンテンツデータの各段階に対応するように設定されて格納され、
前記制限解除部は、前記制限解除時制御情報を用いて前記制限を段階的に解除する
ことを特徴とする請求項１９に記載の携帯型コンテンツデータ再生装置。
【請求項２１】
前記情報記憶部は、複数の前記位置情報を格納し、
前記制御部は、前記情報記憶部に格納された前回の位置情報と、前記位置検出部から出力された今回の位置情報を比較して携帯型コンテンツデータ再生装置が移動したか否かを判断し、移動した場合に前記制限を解除する
ことを特徴とする請求項１５〜２０の何れかに記載の携帯型コンテンツデータ再生装置。
【請求項２２】
前記情報記憶部は、複数の前記位置情報を格納し、
前記制御部は、前記情報記憶部に格納された前回の位置情報と、前記位置検出部から出力された今回の位置情報を比較して携帯型コンテンツデータ再生装置が移動したか否かを判断し、移動した場合に前記制限を段階的に解除する
ことを特徴とする請求項１７又は１８に記載の携帯型コンテンツデータ再生装置。
【発明の詳細な説明】
【技術分野】
【０００１】
本発明は、再生制限が設定されたコンテンツデータの再生装置に関し、特に位置情報を用いて再生制限を解除する携帯型コンテンツデータ再生装置に関する。
【背景技術】
【０００２】
ビデオカセット／ＤＶＤ等の媒体に記録された動画コンテンツデータの再生機能又はＣＤ等の媒体に記録された高音質の音楽コンテンツデータの再生機能を搭載する再生装置が知られている。又、動画や音楽のコンテンツデータを放送受信機能又は通信機能により外部から受信して内部のハードディスク等の記憶手段に記憶し、その受信したコンテンツデータを再生する再生装置も知られている。さらに、その再生装置として、商用電源から電力が供給される家庭用又は業務用の再生装置の他にも、バッテリー等で駆動されて画面やスピーカ等が付属して任意の場所でコンテンツデータの再生が可能な携帯型の再生装置も知られている。
【０００３】
コンテンツデータは、基本的に上記した全ての再生装置により再生可能であることが求められるが、有料放送で配信される場合には、例えば、契約（視聴許可）を得た再生装置のみで再生が可能になるようにスクランブル等の再生を制限する処理をコンテンツデータに施すことが知られている。又、コンテンツデータが入った媒体が有料で販売される場合には、例えば、再生専用装置では再生可能であるが、コンテンツデータのコピーを防ぐために再生ドライブ装置付きのパーソナルコンピュータでは再生できないように再生機器を制限する処理をコンテンツデータ又は媒体に施すことが知られている。又、コンテンツデータのコピー回数を制限する処理をコンテンツデータ又は媒体に施すことも知られている。
【０００４】
一方、近年になり、上記したようなコンテンツデータの再生機能を高機能化のために組み込んだ携帯電話装置が知られている。携帯電話装置は通信機能とデータ蓄積機能を有して使用者に常時携帯されることから、コンテンツデータの再生機能を組み込むことにより、使用者によるコンテンツデータのダウンロード、蓄積及び再生が容易に常時可能となり、コンテンツデータを再生する機会が増加する。
【０００５】
又、複数の衛星からの電波を受信することで現在地の位置情報を得ることができるＧＰＳ装置が知られており、そのＧＰＳ装置を搭載した携帯電話も知られている。位置情報を利用して特定のコンシューマ（又は使用者、ユーザ）にサービスを提供するシステムとしては、例えば、移動体に搭載されるか又はその移動体中の使用者により携帯されて、搭載されたＧＰＳ装置を利用して有料道路の使用料金を演算して課金することができ、それにより、料金所での課金作業を不要にでき、料金所に起因する渋滞の可能性を減少させることができる課金装置が知られている（例えば、特許文献１参照）。
【０００６】
また、ＧＰＳ装置を搭載したコンテンツデータ再生装置又は基地局ＩＤにより基地局のエリア内であるかを判断する携帯電話装置を用い、特定の場所でのみコンテンツデータの再生を許可し、特定の場所以外では、再生回数や再生時間を制限する装置が知られている（例えば、特許文献２参照）。
【０００７】
さらに、例えばコンサートやスポーツ等のイベントの会場に来場したコンシューマ（コンテンツデータの利用者）に限定して、イベント用の特別なコンテンツデータを配布するか、予め配布しておいた再生制限が施されたコンテンツデータの制限を解除するようにすれば、イベントの集客に利用することが可能であることが知られている。コンテンツデータの再生制限をイベント来場者のみ解除する方法としては、例えば、そのコンテンツデータを予め暗号化して配布しておき、イベント会場で暗号化を解除するための鍵を配布する方法が知られている。
【０００８】
【特許文献１】特開平１１−２１３１９２
【特許文献２】特開２００２−１２３８０１
【発明の開示】
【発明が解決しようとする課題】
【０００９】
しかしながら、上記したような暗号化を解除する鍵をイベント会場で配布する方法では、会場に鍵配布専用の設備が必要になることから設置コストがかかり、その鍵配布専用の設備付近では混雑が発生する可能性があるという問題がある。
【００１０】
また、上記したような専用設備を使用しない方法として、特許文献２のＧＰＳ装置等による位置特定機能を搭載させたコンテンツデータ再生装置（例えば、コンテンツデータの再生機能及び位置検出機能が組み込まれた携帯電話装置）を用いて、その位置特定機能を利用することで、イベント会場に来場したコンシューマのコンテンツデータ再生装置のみを対象として選択的に再生制限を解除させることが考えられる。
【００１１】
しかし、特許文献２の方法は、コンシューマが特定の場所又は地域にいることのみを考慮しているため、コンシューマが特定の場所又は地域に行くことによりコンテンツデータの再生制限を解除することはできるものの、イベント等の開催時間については考慮されていないので、例えば、イベント準備期間やイベント終了後のようなイベント開催期間以外の期間であってもイベント会場に行きさえすれば再生の制限事項が解除できてしまう。従って、特許文献２の方法では、コンテンツデータの供給者側及びイベントの開催者側が希望するような「コンシューマをイベント期間中にイベント会場に来場させて会場に留めたい」という集客効果を得られない場合がある。
【００１２】
又、特許文献２の方法では、再生制限されたコンテンツデータは、コンシューマがその特定の場所又は地域内に入ってコンテンツデータの再生制限が解除されるまではそのコンテンツデータが全く再生できないので、コンテンツデータの実際の再生内容がコンシューマの嗜好に合致しているかをコンシューマが事前に判断できない。
【００１３】
従って、コンシューマはコンテンツデータの実際の再生内容がわからないので宣伝情報又は紹介情報等を参考にして予想した内容で判断し、予想内容が期待できる場合にはコンテンツデータの制限を解除するためにイベント会場に行くことを検討する。しかし、イベント会場まで行ってコンテンツデータの制限を解除しても、実際の再生内容で判断していないためコンシューマの嗜好に合わない可能性もある。従って、コンテンツデータへの期待があまり大きくない場合又は再生制限を解除しても嗜好に合わない確率が高い場合には、コンシューマはイベント会場への来場を控えてしまう場合があり、コンテンツデータの供給者側及びイベントの開催者側が希望する集客効果を高めることが難しいという問題がある。
【００１４】
本発明は上述したような課題を解決するためになされたもので、イベント会場にコンテンツデータの制限を解除するための専用設備を必要とせず、集客効果の高い携帯型コンテンツデータ再生装置及びその制限解除方法を提供することを目的とする。
【課題を解決するための手段】
【００１５】
上記課題を解決するため、本発明の携帯型コンテンツデータ再生装置の制限解除方法は、
コンテンツデータ再生時の制限条件を含む再生制御情報と、前記制限条件を解除可能であるイベントの開催地域を示す制限解除地域情報及び前記イベントの開始日時と終了日時により開催期間を示す制限解除日時情報とを含むコンテンツデータをダウンロードして格納するステップと、
現在の位置を検出して位置情報を出力するステップと、
少なくとも現在の時刻を計時して時刻情報を出力するステップと、
前記位置情報が前記制限解除地域情報の範囲内であり、前記時刻情報が前記制限解除日時情報の期間内であるか否かを判断するステップと、
前記位置情報が前記範囲内で、前記時刻情報が前記期間内である場合に制限を解除するステップと
を有する。
【００１６】
また、本発明の携帯型コンテンツデータ再生装置は、
コンテンツデータ再生時の制限条件を含む再生制御情報と、前記制限条件を解除可能であるイベントの開催地域を示す制限解除地域情報及び前記イベントの開始日時と終了日時により開催期間を示す制限解除日時情報とを含むコンテンツデータをダウンロードして格納するデータ記憶部と、
現在の位置を検出して位置情報を出力する位置検出部と、
少なくとも現在の時刻を計時して時刻情報を出力する計時部と、
少なくとも前記再生制御情報、位置情報及び時刻情報を格納する情報記憶部と、
前記コンテンツデータ再生時の制限を解除する制限解除部と、
前記コンテンツデータを再生可能なプログラムを動作させると共に、前記位置情報が前記制限解除地域情報の範囲内であり、前記時刻情報が前記制限解除日時情報の期間内であると判断した場合には前記制限解除部に対して制限を解除する指示を出力する制御部と
を備える。
【発明の効果】
【００１７】
本発明によれば、イベント会場にコンテンツデータの制限を解除するための専用設備が必要ではなくなることから、コストを削減できると共に専用設備周辺での混雑の可能性が無くなる。又、コンテンツデータの制限を解除するためには、イベント期間中に携帯型コンテンツデータ再生装置（携帯電話装置）を持ってイベント会場に行く必要があるので、集客効果の高い携帯型コンテンツデータ再生装置及びその制限解除方法を提供することができる。
【発明を実施するための最良の形態】
【００１８】
実施の形態１．
図１は、本発明の実施の形態１の携帯型コンテンツデータ再生装置の概略構成を示すブロック図であり、図２は、実施の形態１で使用する再生制限が施された動画コンテンツデータファイルのデータ構成図である。
図１に示された携帯型コンテンツデータ再生装置（以下、単に再生装置とも記す）について、図２を参照しながら説明する。
【００１９】
制御部１０１は、例えば、マイクロコンピュータ等の演算及び各種の処理が可能な素子であり、概略的には、再生制限及び再生制限解除を判定し、また動画コンテンツデータの再生を制御する機能を有しており、具体的には、以下に示すような各種の機能を有している。
（１）コンテンツデータ２００を再生可能なコンテンツデータ再生プログラム１２１を動作させる。
（２）位置情報が制限解除地域情報（以下、単に地域情報又はイベント地域情報とも記す）２０５の範囲内であるか否かを判断する。
（３）時刻情報が制限解除日時情報（以下、単に日時情報又はイベント日時情報とも記す）２０４の期間内であるか否かを判断する。
（４）日時情報２０４の期間内で地域情報２０５の地域内に位置情報が該当し始めた時の時刻情報から現在の時刻情報までの滞在時間を算出する。
（５）基本的には、位置情報が上記範囲内で時刻情報が上記期間内と判断した場合には制限解除部１０６に対して再生制限を解除する指示を出力できる。しかし、コンテンツデータの供給者側及びイベントの開催者側が希望する集客効果としては滞在時間も考慮されることから、滞在時間が必要滞在時間情報２０６以上になった場合に制限解除部１０６に対して再生制限を解除する指示を出力できる。その際に、例えば、少なくとも時刻情報と日時情報２０４と解除実施回数情報を用いることで滞在時間に対応させて再生制限を段階的に解除するように指示を出力できる。
（６）内部に備えるブロック分割部１２２で、コンテンツデータ２００を、再生制限用のブロック分割数２０７に従い複数のブロック部分に分割する。
【００２０】
情報記憶部１０２は、一時記憶領域としてのメモリであり、少なくとも再生制御情報２０８、位置情報及び時刻情報を格納し、さらに、制限条件を解除するための情報として、日時情報２０４の期間内で地域情報２０５の地域内に滞在する必要がある時間を含む必要滞在時間情報を格納する。また、再生制限を段階的に解除する場合には、情報記憶部１０２は、コンテンツデータの各段階に対応するように設定された各情報と、段階的な制限条件の解除が実施された回数を示す解除実施回数情報を格納する。
【００２１】
情報記憶部１０２の内部の個別記憶部としては、再生制限を解除するために必要となる基本的な情報を記憶する制限解除情報記憶部１３１、位置検出部１０５で検出された現在の位置及び再生制限解除地域内の複数個所の位置等を記憶する位置情報記憶部１３２、計時部１０４で検出された現在時刻及び再生制限解除地域内に再生装置が入ったことが検出された時刻等を記憶する時刻情報記憶部１３３となる。
【００２２】
また、制限解除情報記憶部１３１内には、さらに個別の記憶部として、再生制限を解除するためのイベントの開始から終了までの開催されるイベント日時情報２０４が記憶されるイベント日時情報記憶部１５１、イベントが開催されるイベント地域情報２０５が記憶されるイベント地域情報記憶部１５２、再生制限を解除するために最低限必要となる必要滞在時間情報２０６が記憶される必要滞在時間記憶部１５３、再生制限の段階的な解除に必要となるブロック分割数２０７が記憶される再生制限分割数記憶部１５４、上記した段階的な制限条件の解除が実施された回数を示す解除実施回数情報を記憶する解除実施回数記憶部１５５、再生制限を分割数に応じた単位で段階的に解除するために、各段階毎に最低限必要となる滞在時間が単位時間（滞在単位時間）として記憶される制限解除単位時間記憶部１５６を備えている。
【００２３】
操作部１０３は、再生装置のユーザが入力操作することにより制御部１０１に制御信号を送出する。計時部１０４は、少なくとも現在の時刻を計時してその時刻情報を制御部１０１に出力する機能を有すると共に、前回の計時した時刻と今回の計時した時刻との差分から経過時間を計測する。経過時間や時刻を指定する機能を有する設定部１６１と、指定された時間経過や指定時刻に制御部１０１へ通知を行う機能を有する通知部１６２を含んでいる。位置検出部１０５は、再生装置の現在位置を検出してその位置情報を制御部１０１に出力する機能を有する。
【００２４】
制限解除部１０６は、例えば、マイクロコンピュータ等の演算及び各種の処理が可能な素子であり、制御部１０１からの指示を受けて、再生制限されたコンテンツデータ２００を再生する時の制限を解除する。制限解除部１０６は、制御部１０１と共通のマイクロコンピュータであってもよいし、別のマイクロコンピュータで構成してもよい。再生の制限を解除する方法としては、例えば、制限時の制御情報（例えば、再生制限画像データの記憶位置を示す第１の記憶アドレス情報）を制限解除時制御情報（例えば、通常の再生画像データの記憶位置を示す第２の記憶アドレス情報）に入れ替える。その際に、再生制限を上記した滞在時間（単位時間）に対応させて画像データを時間的に早いものから順に段階的に入れ替えて解除する。制限解除部１０６は、専用のハードウエアを設けて構成しても良いが、例えば、既存の再生装置のソフトウエアにより動作する部分に対して、ＪＡＶＡ等によるソフトウェア機能で追加機能として提供してもよい。
【００２５】
データ記憶部１０７は、ダウンロードしたコンテンツデータ２００を格納するもので、例えばハードディスクドライブ装置又はフラッシュメモリ等の不揮発メモリにより構成され、電源ＯＦＦ時もコンテンツデータ２００をその記憶部（コンテンツデータ記憶部１４１）に保持することができる。コンテンツデータ２００には、そのメディアヘッダ２０１内にコンテンツデータ２００を再生する時の制限条件等を含む再生制御情報２０８と、制限条件を解除可能であるイベントの開催地域を示す地域情報２０５及びイベントの開始日時と終了日時により開催期間を示す日時情報２０４等を含む制限解除情報２０３を有している。
【００２６】
データ読み出し部１０８は、再生が開始された場合に、データ記憶部１０７のコンテンツデータ記憶部１４１からコンテンツデータ２００のフレーム画像を順次読み出す。再生処理部１０９は、データ読み出し部１０８により読み出されたコンテンツデータ２００を再生するためにデコードする。出力処理部１１０は、再生処理部１０９によりデコードされたコンテンツデータ２００を表示させるために出力する。表示部１１１は、コンテンツデータ２００の再生画像を表示出力する。通信処理部１１４は、例えば携帯電話装置の通信機能部であり、これにより遠隔地に存在するコンテンツデータのサーバサイトと無線通信回線及びインターネット回線を介して通信接続（アクセス）することができ、コンシューマが希望するコンテンツデータを指定してダウンロードすることができる。
【００２７】
コンテンツデータ２００のメディアヘッダ２０１内の再生制御情報２０８には、再生時の制限条件としてブロック分割数２０７の情報、及び、制限条件を解除した場合に再生制限時の制御情報に代わって用いられる制限解除時制御情報も含んでおり、その制限解除時制御情報は、コンテンツデータ２００の各段階に対応するように設定されて格納される。制限解除情報２０３は、コンテンツデータ２００のメディアヘッダ２０１内における特定領域に記録される。特定領域は、通常の再生装置で再生動作に影響の無い領域、例えば、ユーザコメント領域やメモ領域等を使用する。制限解除情報２０３は、再生制限の無い通常のコンテンツデータには含まれておらず、従ってその場合はコンテンツデータ記憶部１４１には制限解除情報２０３が格納されない。
【００２８】
なお、制限解除情報２０３には、再生制限の解除を行う日時あるいは期間を示すイベント日時２０４と、再生制限の解除を行う地点あるいは地理的範囲を示す場所情報２０５、再生制限の解除を行うために必要となる滞在期間を示す滞在時間２０６、再生制限を段階的に解除するための制限解除のブロック分割数２０７が含まれている。
【００２９】
図３は、本実施の形態で使用する再生制限の解除情報をメモリ（情報記憶部１０２）に記憶した場合の管理テーブルを示す図である。
制御部１０１は、データ記憶部１０７のコンテンツデータ記憶部１４１からコンテンツデータ２００を読み出して制限解除情報２０３の有無を判断する。制御部１０１は、制限解除情報２０３を有することからコンテンツデータ２００が制限付きと判断した場合、制限解除情報２０３とコンテンツデータ２００のＩＤ１５０とを図３に示すように関連付けて情報記憶部１０２に格納する。その際に、解除実施回数記憶部１５５に格納される制限解除の実施回数を０に初期化すると共に、計時部１０４の設定部１６１に対して、日時情報２０４に指定された日時に達した場合に制御部１０１に向けて通知部１６２から通知するよう設定する。
【００３０】
図４は、再生装置がコンテンツデータを受信した時の制御部１０１の処理内容を示すフローチャートである。
ユーザによって操作部１０３から希望する動画コンテンツデータのダウンロード指示が入力されると、制御部１０１では、まずコンテンツデータのサーバ向けて、通信回線を介してアクセス要求と動画コンテンツデータのダウンロードを出力する処理を実行する。
【００３１】
その処理内容としては、制御部１０１は、ブラウザ等のコンテンツデータ再生プログラム１２１を起動し、コンテンツデータサーバに向けてアクセス要求指示及びダウンロード指示に基づいてｈｔｔｐによるリクエストを出力する。
そのリクエストの結果としてコンテンツデータサーバから動画コンテンツデータをダウンロードした場合、再生装置の制御部１０１は、その動画コンテンツデータのメディアヘッダ２０１の情報を解析する（Ｓ１）。
【００３２】
制御部１０１は、動画コンテンツデータのメディアヘッダ２０１内における制限解除情報２０３の有無を確認することにより、その動画コンテンツデータが再生制限されているか否かを判断する（Ｓ２）。再生制限されていない場合（Ｓ２：ＮＯ）には、処理を終了する。再生制限されている場合（Ｓ２：ＹＥＳ）には、制御部１０１は、制限解除情報２０３を読み取り、情報記憶部１０２の制限解除情報記憶部１３１に保存する（Ｓ３）。
【００３３】
制御部１０１は、情報記憶部１０２の制限解除情報記憶部１３１内の制限解除実施回数記憶部１５５を初期化して回数を０回とする（Ｓ４）。
制御部１０１は、イベント日時に到達した場合に、その通知を通知部１６２から制御部１０１に出力するように、計時部１０４の設定部１６１を設定する（Ｓ５）。
【００３４】
図５は、再生装置を制限解除するためのイベント日時到達通知を設定する場合の制御部１０１の処理内容を示すフローチャートである。
計時部１０４から制御部１０１に向けてイベント日時到達通知が出力された場合の制御部１０１の処理としては、まず、制御部１０１は、イベント日時到達通知を受け付けられたか否かを判断する（Ｓ１１）。イベント日時到達通知が受付されない場合（Ｓ１１：ＮＯ）には、再度ステップＳ１１を繰り返して待ち受け、イベント日時到達通知が受付された場合（Ｓ１１：ＹＥＳ）には、計時部１０４の設定部１６１に対して、日時情報２０４に指定された日時の終了時に到達した場合に制御部１０１に向けてイベント日時終了通知を出力するように設定する（Ｓ１２）。
【００３５】
さらに制御部１０１は、必要滞在時間情報２０６と制限解除のブロック分割数２０７から、段階的な制限解除における各段階単位の制限解除に必要となる滞在期間（滞在単位時間）を演算する（Ｓ１３）。一例として、コンテンツデータの供給者側及びイベントの開催者側がコンシューマに希望する滞在時間が６０分（３６００秒）であり、分割数が１０（１０の段階に分けて再生制限が解除される）である場合、再生制限を解除するための一単位の滞在時間（滞在単位時間）は、６分（３６０秒）となる。制御部１０１は、位置検出部１０５を起動させる。
【００３６】
制御部１０１は、情報記憶部１０２の制限解除情報記憶部１３１内の制限解除単位時間記憶部１５６に演算された滞在単位時間を記憶させ（Ｓ１４）、一定周期で再生装置の現在位置に関する情報を制御部１０１に出力するように位置検出部１０５を設定する（Ｓ１５）。
【００３７】
図６は、再生装置が制限解除場所に滞在開始時（位置検出部１０５からの位置情報が制限解除地域に合致時）における制御部１０１の処理内容を示すフローチャートである。
再生装置の制御部１０１は、位置検出部１０５から出力された現在位置の通知を受け付けられたか否かを判断する（Ｓ２１）。現在位置の通知が受付されない場合（Ｓ２１：ＮＯ）には、再度ステップＳ２１を繰り返して待ち受ける。
【００３８】
現在位置の通知が受付された場合（Ｓ１１：ＹＥＳ）には、情報記憶部１０２の制限解除情報記憶部１３１内のイベント地域情報記憶部１５２により示される制限解除地域に対して受付した現在位置が内部であるか否かを判断する（Ｓ２２）。現在位置が制限解除地域内ではない場合（Ｓ２２：ＮＯ）には、再度ステップＳ２１を繰り返して待ち受ける。
【００３９】
現在位置が制限解除地域内である場合（Ｓ２２：ＹＥＳ）には、情報記憶部１０２の制限解除情報記憶部１３１内の制限解除単位時間記憶部１５２に、制限解除単位時間が記憶されたか否かを判断する（Ｓ２３）。制限解除のための滞在単位時間が記憶されていない場合（Ｓ２３：ＮＯ）には、処理を終了する。滞在単位時間が記憶されている場合（Ｓ２３：ＹＥＳ）には、その滞在単位時間を計時部１０４の設定部１６１に設定する（Ｓ２４）。さらに制御部１０１は、計時部１０４の設定部１６１に、滞在単位時間に到達した場合に通知部１６２から制御部１０１に通知される設定になっていないか否かを判断する（Ｓ２５）。
【００４０】
単位時間到達通知が出力される設定になっている場合（Ｓ２５：ＮＯ）には、処理を終了し、単位時間到達通知が出力される設定になっていない場合（Ｓ２５：ＹＥＳ）には、計時部１０４の設定部１６１に、滞在単位時間に到達した場合に通知部１６２から制御部１０１に通知するように設定する（Ｓ２６）。
【００４１】
図７は、計時部１０４の通知部１６２から再生装置の制限解除場所における滞在時間が単位時間以上になったことが通知（滞在単位時間到達通知）された制御部１０１の処理内容を示すフローチャートである。
再生装置の制御部１０１は、計時部１０４の通知部１６２から再生装置の制限解除場所における滞在時間が単位時間以上になったことが通知されたか否かを判断する（Ｓ３１）。滞在時間が単位時間以上になったことが通知されない場合（Ｓ３１：ＮＯ）には、再度ステップＳ３１を繰り返して待ち受ける。滞在時間が単位時間以上になったことが通知された場合（Ｓ３１：ＹＥＳ）には、制御部１０１は、情報記憶部１０２の制限解除情報記憶部１３１内の制限解除実施回数記憶部１５５から再生制限の段階的な解除が実施された回数を読み出す（Ｓ３２）。
【００４２】
制御部１０１は、（読み出された回数＋１）回目の制限解除処理を実行する（Ｓ３３）。具体的には、制限解除部１０６に対してコンテンツデータＩＤ、制限解除するレベル（解除分割数の何番目を解除するか）を指定してコンテンツデータの制限解除を要求する。その結果、制限解除部１０６は、制限解除の要求に応じて指定されたコンテンツデータの一部（例えば、画像データのアドレス指定）を書き換えることにより制限を部分的に解除する。
【００４３】
それと共に制御部１０１は、制限解除部１０６による書き換え処理が完了したことにより、その（読み出された回数＋１）を逆に制限解除実施回数記憶部１５５に記憶させる。即ち、制限解除実施回数記憶部１５５内に保存されている制限解除の実施回数を１だけ増加させる（Ｓ３４）。
【００４４】
次に制御部１０１は、再生制限分割数記憶部１５４から再生制限の段階的な解除に必要となるブロック分割数２０７と（読み出された回数＋１）の数値とを比較することで全ての再生制限が解除されたか否かを判断する（Ｓ３５）。この制限解除の実施回数と制限解除のブロック分割数２０７が一致しない場合、即ち、全ての再生制限が解除されていない場合（Ｓ３５：ＮＯ）には、処理を終了する。それに対して制限解除の実施回数と制限解除のブロック分割数２０７が一致した場合、即ち、全ての再生制限が解除された場合（Ｓ３５：ＹＥＳ）には、情報記憶部１０２の制限解除情報記憶部１３１内に書き込まれた各情報を削除する（Ｓ３６）。それと共に、制御部１０１は、位置検出部１０５の各種処理を停止させ（Ｓ３７）、計時部１０４の各種処理も停止させる（Ｓ３８）。
【００４５】
ここで、コンテンツデータの再生制限の方法について説明する。
図８は、本実施の形態の再生制限が実施されたコンテンツデータのファイル構成を示す図であり、図９は、図８の再生制限の一部が解除されたコンテンツデータのファイル構成を示す図である。
図８は、再生制限が施されたコンテンツデータであり、再生が開始された場合には、第１フレーム６０２と第２フレーム６０３までは通常通り再生されるが、第３フレーム６０４以降は再生されず、その代わりに再生制限用の映像データ６０５が出力されて表示される様子を示している。それに対して図９では、図８の第３フレーム６０４に対する再生制限を解除した場合を示している。
【００４６】
コンテンツデータファイルのメディアヘッダ２０１には、再生制御情報２０８が含まれている。また、コンテンツデータファイルのメディアストリーム２０２には、複数のフレーム数に対応する映像データ６０２〜６０４が含まれると共に、さらに再生制限用の映像データ６０５が含まれている。
【００４７】
再生制御情報２０８には、各映像データの保存位置（記録アドレス）とその復号および出力の時間が記録される。図８に示された矢印は、再生制御情報２０８に指定される各映像コンテンツデータが格納されるメディアストリーム２０２中のアドレス位置を示している。図８右側の再生制御情報２０８の拡大図部分には、映像コンテンツデータの各フレームのアドレス位置（保存位置）が示されている。動画コンテンツデータの再生制御は、この再生制御情報２０８に従ってデータ読み出し部１０８、再生処理部１０９、出力処理部１１０を制御することにより実現される。
【００４８】
またコンテンツデータファイル内には、再生制限を解除した場合に使用される制限解除時用再生制御情報６０１が格納されている。
ただし、制限解除時用再生制御情報６０１は、図２の制限解除情報２０３と同様に、通常の再生装置から参照されない特定領域、例えばユーザコメント領域やメモ領域等に記録される。
【００４９】
制御部１０１から制限解除の指示を受けた制限解除部１０６は、図７のステップＳ３３で制限解除が指定されたレベルに該当する範囲で、制限解除時用再生制御情報６０１から再生制御情報２０８へ複製情報による書き換え（上書き修正）を行い、データ記憶部１０７に再び保存する。
【００５０】
本実施の形態のコンテンツデータには、再生制限時に表示される再生制限用データ（６０５）を含んでおり、コンテンツデータの再生時の制限は、所定フレーム以降のコンテンツデータ（例えば、第３フレーム６０４）を再生制限用データ（例えば、再生制限用画像データ６０５）に入れ替えることであり、制限を解除する場合には、再生制限用データ（６０５）への入れ替えを中止させるようにしている。
【００５１】
図１０は、計時部１０４の通知部１６２からイベント日時の終了時間に到達したことが通知された制御部１０１の処理内容を示すフローチャートである。このフローチャートは、当該コンテンツデータの段階的な再生制限が日時情報２０４に指定された期間内では全て解除できなかった場合の処理内容を示している。
【００５２】
制御部１０１は、計時部１０４の通知部１６２からイベント日時の終了時間に到達したことが通知されたか否かを判断する（Ｓ４１）。イベント日時の終了時間に到達したことが通知されない場合（Ｓ４１：ＮＯ）には、再度ステップＳ４１を繰り返して待ち受ける。イベント日時の終了時間に到達したことが通知された場合（Ｓ４１：ＹＥＳ）には、制御部１０１は、計時部１０４の設定部１６１に滞在単位時間の到達通知の設定がされていたか否かを判断する（Ｓ４２）。滞在単位時間の到達通知の設定がされていない場合（Ｓ４２：ＮＯ）には、ステップＳ４４に進み、滞在単位時間の到達通知の設定がされていた場合（Ｓ４２：ＹＥＳ）には、滞在単位時間の到達通知の発行を停止させる（Ｓ４３）。ここでは制御部１０１は、図７のステップＳ３８に示した場合と同様に計時部１０４の各種処理を停止させてもよい。さらに図７のステップＳ３７に示した場合と同様に位置検出部１０５の各種処理を停止させ（Ｓ４４）、情報記憶部１０２の制限解除情報記憶部１３１内に書き込まれた各情報を削除する（Ｓ４５）。
【００５３】
図１１は、位置検出部１０５からの現在位置情報がイベント地域情報記憶部１５２に格納されたイベント地域情報２０５に一致しなかった場合の制御部１０１の処理内容を示すフローチャートである。
この場合、制御部１０１は、計時部１０４からの滞在単位時間到達通知を待つ間、位置検出部１０５からの位置情報通知を継続して受信している。制御部１０１は、位置検出部１０５からの現在位置情報を受付たか否かを判断する（Ｓ５１）。現在位置を受付ない場合（Ｓ５１：ＮＯ）には、再度ステップＳ５１を繰り返して待ち受ける。現在位置を受付た場合（Ｓ５１：ＹＥＳ）には、制御部１０１は、位置検出部１０５からの現在位置情報がイベント地域情報記憶部１５２に格納されたイベント地域情報２０５に一致したか否かを判断する（Ｓ５２）。現在位置がイベント地域情報２０５に一致しない場合（Ｓ５２：ＮＯ）には、再度ステップＳ５１〜Ｓ５２を繰り返して待ち受ける。
【００５４】
現在位置がイベント地域情報２０５に一致した場合（Ｓ５２：ＹＥＳ）には、制御部１０１は、計時部１０４の設定部１６１に滞在単位時間の到達通知の設定がされていたか否かを判断する（Ｓ５３）。滞在単位時間の到達通知の設定がされていない場合（Ｓ５３：ＮＯ）には、処理を終了し、滞在単位時間の到達通知の設定がされていた場合（Ｓ５３：ＹＥＳ）には、滞在単位時間の到達通知の発行を停止させる（Ｓ５４）。ここでも制御部１０１は、図７のステップＳ３８に示した場合と同様に計時部１０４の各種処理を停止させてもよい。
【００５５】
以上のように本実施の形態では、集客効果を高めるために、イベント用の特別なコンテンツデータを一部のみを再生可能にしてコンシューマの携帯電話装置に一括ダウンロードで予め配布しておき（イベント会場での配布に限らず携帯電話の通信回線等により予め配布しておいてもよい）、その一部のみの再生によりコンシューマに続けて再生したいか否かを判断させ、再生制限を解除して続きを視聴するにはイベント会場（又は会場内の特定ブース）に行く必要があるようにしている。
【００５６】
また、コンテンツデータの再生制限をコンテンツデータ側に施しているため、コンテンツデータをブロック分割してその分割単位毎に段階的に再生に制限をかけるようにできる。コンテンツデータを分割単位毎に段階的に再生の制限を解除でき、最初の分割単位のみは制限無く再生できるので、コンシューマは一部のみ再生可能であるコンテンツのその再生内容によって、コンテンツの続きが嗜好に合致しているかの判断基準を得ることができる。従って、コンシューマがイベントに参加するか否かの判断基準を得ることができるので、集客効果を上げることができる。
【００５７】
上記のようにコンテンツの魅力をよりコンシューマに知らしめることができることに加えて、さらにコンテンツデータの再生制限を解除するためには、そのイベント会場（指定位置）に一定期間だけ滞在する必要があるため、コンテンツデータの供給者側及びイベントの開催者側にとっても、イベントの集客効果を高めることができる。さらに事前にコンテンツを配布する場合には、コンテンツが嗜好に合致した質の良いコンシューマを来場させることができるので、さらにイベントの集客効果を高めることができる。
【００５８】
このように本実施の形態によれば、一括ダウンロードされたコンテンツデータを再生装置側で、図８、９に示したように画像データのフレーム単位で再生制限用の画像フレームにアドレス指定を変更して入れ替えることで再生制限し、アドレス指定を段階的に元の画像データのフレームに戻すことで再生制限を段階的に解除しており、コンテンツデータの制限を解除するためには、イベント期間中に再生装置（携帯電話装置）を持ってイベント会場に行く必要があるので、集客効果の高い再生装置及びその制限解除方法を提供することができる。又、イベント会場にコンテンツデータの制限を解除するための専用設備が必要ではなくなることから、コストを削減できると共に専用設備を使用する際に発生する可能性のあるその専用設備周辺での混雑が発生する可能性も無くすことができる。
【００５９】
実施の形態２．
上記した実施の形態１では、一括ダウンロードされたコンテンツデータを再生装置側で、画像データのフレーム単位で再生制限用の画像フレームに入れ替えて再生制限し、又、再生制限を段階的に解除していたが、実施の形態２では、コンテンツデータに対する再生制限を、メディアストリームのトラック単位で再生できないようにする制限とその解除を設定する場合について説明する。
【００６０】
尚、本実施の形態の再生装置の各部及び動作は、扱われるデータの単位が、画像データのフレーム単位からメディアストリームのトラック単位に代わる他は実施の形態１と同様であるので、以下の説明ではデータの単位を読み替えるのみである部分については説明を省略し、実施の形態１とは異なる処理についてのみ説明する。
【００６１】
本実施の形態では、動画コンテンツデータのトラックに再生制限を施す方法として、トラック情報を再生装置から隠蔽する方法を用いる。
本実施の形態の再生装置の再生制限が実施される場合には、コンテンツデータ内部に映像、音声、テキストなどの全てのトラックデータが含まれたコンテンツデータを格納する動作、音声トラックおよびテキストトラックの再生する動作のみは許可されるが、例えば映像トラックについては再生する動作を禁止する。再生制限が解除された場合には、映像、音声、テキストなど全てのトラック再生が許可される。
【００６２】
本実施の形態では、再生装置がトラック種別を識別するためのトラック識別子（コンテンツデータファイル内の全てのトラックが個々に備える）を再生装置から隠蔽することにより再生を制限する場合について説明する。
【００６３】
例えば、１４４９６−１２  ＩＳＯメディア・ファイル・フォーマットをコンテンツデータのファイルフォーマットとした場合、Handler  Reference  Boxのhandler_type（soun／vide／text）がそのトラック識別子に相当する。トラックの識別が不能であるトラックは、携帯電話、ＰＣ等の一般的な再生装置では無効トラックとして解析処理が停止されてスキップされるため、その他の有効なトラックの再生に影響を与えることがない。そのため、ほとんどの汎用再生装置において、上記したトラック識別子を隠蔽する方法を用いることで、トラックの再生を制限することができる。
【００６４】
本実施の形態の制限解除部１０６における制限解除処理については、同様に１４４９６−１２  ＩＳＯメディア・ファイル・フォーマットに含まれてトラックの識別子として使用可能な、Sample  Entry  Box（mp4a／samr／mp4v／s263／tx3g）を用いることとする。一般的には、handler_typeがトラック識別子、Sample Entry Boxがコーデック種別の識別子として扱われ、両者には以下の対応関係がある。
Handler  Reference  Box - Sample  Entry  Box
soun（音声）            - mp4a／samr（MPEGオーディオ／AMR）
vide（映像）            - mp4v／s263（MPEG-4／H.263）
text（テキスト）        - tx3g（3GPP  Timed  Text）
【００６５】
再生制限のために、Handler  Reference  Boxのhandler_typeを隠蔽して判別不能としたコンテンツデータに対し、本実施の形態の再生装置では、装置内でSample  Entry  Boxのコーデック情報に基づいて上記の対応関係からトラック種別を判別し、handler_typeを復元して、隠蔽されていたトラック識別子を復元させて再保存を行う。この隠蔽と復元の処理をトラック単位で段階的に実施する。
【００６６】
また、handler_typeを隠蔽する方法としては、上記したようにSample  Entry  Boxのコーデック情報から一意に復元することができるため、対象となるコンテンツデータからトラック識別子を削除（オールＦ、オール０）すること等の簡易な方法を用いることができる。尚、このトラック識別子を復元させるためにコンシューマがイベント会場に滞在する時間等の条件については実施の形態１と同様であるため、説明を省略する。
【００６７】
このように本実施の形態のコンテンツデータの再生時の制限は、格納されたコンテンツデータの内の一部のデータ（トラック）については再生ができないように再生制限が指示（トラック情報が隠蔽）されていることであり、制限を解除する場合には、再生制限指示を除去することになる。これは、本実施の形態では、隠蔽されていたトラック識別子を復元させることになる。
【００６８】
従って本実施の形態でも、実施の形態１と同様に、コンテンツデータの制限を解除するための専用設備が必要ではなく、集客効果の高い再生装置及びその制限解除方法を提供することができる。
【００６９】
実施の形態３．
実施の形態１及び２では一括ダウンロードされたコンテンツデータを再生装置側でフレーム或いはトラック単位で段階的に再生制限して解除していたが、本実施の形態では、段階的な再生制限の解除が可能となるように複数に分割されたコンテンツデータのうち、いくつかの分割データのみは外部のコンテンツデータサーバからダウンロードできるが、残りのいくつかのコンテンツデータのダウンロードを制限し、コンテンツデータをダウンロードできないようにすることで再生を制限する。再生制限を解除する場合には、その次の段階の解除条件が満足される度に、コンテンツデータサーバから次の部分の分割データをダウンロードして前の分割データと連結させる。
【００７０】
尚、本実施の形態の再生装置の各部及び動作は、分割データを一部入手して再生制限の解除条件が満足される度に次の分割データを入手して連結するという制御部１０１と制限解除部１０６の動作以外の他は実施の形態１と同様であるので、以下の説明では関連部分を読み替えるのみである部分については説明を省略し、実施の形態１とは異なる処理について説明する。
【００７１】
本実施の形態の再生装置の再生制限は、例えば、再生制限が解除されて全てのコンテンツデータが再生された場合に合計3分（500KB）となる動画コンテンツデータに対して、再生制限が有効である場合には、先頭30秒（100KB）のコンテンツデータのみダウンロードおよび再生が可能としている。
【００７２】
本実施の形態では、再生制限の対象とならない先頭コンテンツデータについては、例えば１４４９６−１２  ＩＳＯメディア・ファイル・フォーマットに従ったファイル形式を採用する必要がある。これは、一般の再生装置でも先頭コンテンツデータのみの再生については可能となる再生制限を実施するためである。
【００７３】
これに対して再生制限の対象である先頭コンテンツデータに続くコンテンツデータについては、１４４９６−１２  ＩＳＯメディア・ファイル・フォーマットに従ったファイル形式を採用する必要は無い。なぜなら、これらの続きのコンテンツデータは、本実施の形態の再生装置以外の一般の再生装置では、本実施の形態の再生装置のように連結機能を有していないため、再生が制限されたままで解除されることはなく、決して再生されることがないからである。しかし、本実施の形態の再生装置では、再生制限の対象とならない先頭コンテンツデータとそれに続くコンテンツデータとの接合処理を行う必要があるため、コーデック種別、メディアのインタリーブ等については先頭コンテンツデータと統一しておくことが望ましい。尚、インタリーブとは、コンテンツデータファイル内で、例えば映像データと音声データが分離されており、さらに映像が記録される並びと音声の記録される並びが交互になっている状態を示している。
【００７４】
本実施の形態の制限解除部１０６のよる再生制限の解除については、例えば、段階的な解除条件が満足されて、先頭コンテンツデータに続くコンテンツデータのダウンロードが許可され、再生装置のブラウザ等のコンテンツデータ再生プログラム（１２１）にそのコンテンツデータがダウンロードされた時に、制限解除部１０６において先頭コンテンツデータとの接合処理が行われる。その接合処理の例を１４４９６−１２  ＩＳＯメディア・ファイル・フォーマットを用いて以下に説明する。
【００７５】
先頭コンテンツデータ（第一コンテンツデータ）と、それに続くコンテンツデータ（第二コンテンツデータ）を接合する場合、第二コンテンツデータから、メディア・ストリーム２０２および再生制御情報２０８を取得する。メディア・ストリーム２０２とは、映像であればMPEG-4／H.263等により圧縮された映像データ列、音声であればMPEGオーディオ／AMR等により圧縮された音声データ列である。第一コンテンツデータにも同様にメディア・ストリーム２０２及び再生制御情報２０８が含まれており、これと第二コンテンツデータのメディア・ストリーム２０２及び再生制御情報２０８を繋げることにより接合処理を実施する。データの接合後、更に１４４９６−１２  ＩＳＯメディア・ファイル・フォーマットとして保存する。上記したように第一及び第二のコンテンツデータの結合処理を行うことにより、第二コンテンツデータの再生制限を解除することができ、再生が可能となる。
【００７６】
又、再生制限の対象となるコンテンツデータが段階的に再生制限を解除するように複数に分割されている場合、上記した処理を繰り返すことにより全てのコンテンツデータの再生制限を解除して再生することができる。
【００７７】
このように本実施の形態では、コンテンツデータを格納する場合には、コンテンツデータのうち、再生制御情報に含まれる再生制限用のブロック分割数に従い分割された最初を含む一部のブロック部分のみをダウンロードして格納し、コンテンツデータの再生時の制限は、コンテンツデータのうちの格納されたブロック部分に続くブロック部分のダウンロードの中止であり、制限を解除する場合には、格納されたブロック部分に続くブロック部分のダウンロードを再開させるようにしている。
【００７８】
従って本実施の形態でも、実施の形態１と同様に、コンテンツデータの制限を解除するための専用設備が必要ではなく、集客効果の高い再生装置及びその制限解除方法を提供することができる。さらに本実施の形態では、コンテンツデータの再生できない部分までダウンロードしないので、無駄なダウンロードによる通信にかかる課金を発生させない。
【００７９】
又、第二コンテンツデータを、例えば第一コンテンツデータが持つ再生情報との重複部分を省略してそのままでは再生できないファイル・フォーマットとした場合には、再生を制限する方法として、上記した第二コンテンツデータがダウンロードにより制限されることに加えて、ダウンロードされた第二コンテンツデータ自体もファイル・フォーマットにより再生が制限されていることになる。つまり、言わば二重に再生制限が実施されていることになり、再生制限の安全性及び信頼性を高めることができる。又、この場合の第二コンテンツデータのファイルサイズは、第一コンテンツデータとの重複部分を省略して小さくすることができるので、コンシューマがダウンロードする際の通信にかかる課金を低減させることができる。
【００８０】
実施の形態４．
本実施の形態では、通常フレームレートとコマ落としの低フレームレートの２トラックを有するコンテンツデータが一括ダウンロードされ、再生装置側では再生制限されている時は低フレームレートのトラックを再生し、再生制限が解除された場合は通常フレームレートで再生を行うようにして再生を制限する。本実施の形態の再生制限は、例えば再生制限が解除されている通常フレームレートでは15fps（=frame/sec）で再生される動画コンテンツデータの場合、再生制限が実施された場合には、5fpsあるいは１fpsにコマ数を落とされた状態で再生されるものである。
【００８１】
尚、本実施の形態の再生装置の各部及び動作は、ダウンロードした通常フレームレートと低フレームレートの２トラックを有するコンテンツデータで再生制限時は低フレームレートで再生し、制限解除時は通常フレームレートで再生するという制御部１０１と制限解除部１０６の動作以外の他は実施の形態２と同様であるので、以下の説明では関連部分を読み替えるのみである部分については説明を省略し、実施の形態２とは異なる処理について説明する。
【００８２】
本実施の形態に関しても、１４４９６−１２  ＩＳＯメディア・ファイル・フォーマットのコンテンツデータを例に説明する。
実施の形態２に説明したように１４４９６−１２  ＩＳＯメディア・ファイル・フォーマットでは、各ファイル内に各メディアデータが各々トラックとして分離されて記録される。そのため、制限解除時の通常再生に加えて再生制限時にコマ落とし再生により再生を制限するコンテンツデータの場合は、データ記憶部１０７のコンテンツデータ記憶部１４１に映像トラックが２トラック記録される。つまり、１トラックはコマ落とし再生用の低フレームレートの映像トラックであり、他方の１トラックは通常再生用の通常フレームレートの映像トラックである。
【００８３】
本実施の形態では、再生装置が再生制限中である場合は、コンテンツデータの通常再生用の映像トラックが隠蔽される。本実施の形態の再生装置を含む一般的な再生装置で再生する場合、通常再生用のトラックが隠蔽されることで、コマ落とし再生用の映像トラックが再生されることになり、再生を制限することができる。通常再生用のトラックを隠蔽する方法は、実施の形態２に示した方法を用いてトラック識別子を隠蔽することで可能となる。
【００８４】
再生制限を解除する方法については、実施の形態２に示した方法を用いて隠蔽された通常再生用の映像トラックを復元し、逆にコマ落とし再生用の映像トラックを隠蔽することで可能となる。なお、本実施の形態の方法でさらに制限解除を段階的に分割して実施する場合には、その段階的な制限解除の各段階に対応した低フレームレートの映像トラックをデータ記憶部１０７のコンテンツデータ記憶部１４１に各々個別に記録することになる。
【００８５】
このように本実施の形態では、コンテンツデータを格納する場合には、コンテンツデータを、通常再生用に通常フレームレートで格納することに加えて、コマ落とし再生用に低フレームレートで別途に格納し、コンテンツデータの再生時の制限は、低フレームレートで再生することであり、制限を解除する場合には、通常フレームレートで再生する。
【００８６】
従って本実施の形態でも、実施の形態１と同様に、コンテンツデータの制限を解除するための専用設備が必要ではなく、集客効果の高い再生装置及びその制限解除方法を提供することができる。
【００８７】
実施の形態５．
本実施の形態では、コンテンツデータを通常サイズと縮小サイズで別途に格納して、再生制限時は縮小サイズで再生し、制限解除時は通常サイズで再生することにより再生を制限する場合について説明する。本実施の形態では、再生制限が解除されている場合に例えばＱＣＩＦ（＝１７６ｘ１４４）サイズで再生される動画コンテンツデータが、再生制限中は、８８ｘ７２（１／４倍）あるいは４４ｘ３６（１／１６倍）の縮小サイズで再生される。
【００８８】
尚、本実施の形態の再生装置の各部及び動作は、コンテンツデータを通常サイズと縮小サイズで別途に格納して、再生制限時は縮小サイズで再生し、制限解除時は通常サイズで再生するという制御部１０１と制限解除部１０６の動作以外の他は実施の形態２と同様であるので、以下の説明では関連部分を読み替えるのみである部分については説明を省略し、実施の形態２とは異なる処理について説明する。
【００８９】
本実施の形態に関しても、１４４９６−１２  ＩＳＯメディア・ファイル・フォーマットのコンテンツデータを例に説明する。
実施の形態２で記載したとおり、１４４９６−１２  ＩＳＯメディア・ファイル・フォーマットでは各メディアデータは各々、ファイル内にトラックとして記録される。従って、再生制限時に縮小サイズで再生させるためには、コンテンツデータに映像トラックが２トラック記録される。
１方のトラックは縮小サイズ再生用の映像トラックであり、他方のトラックは通常再生用の映像トラックである。
【００９０】
本実施の形態の再生装置では、再生制限中はコンテンツデータの通常サイズの映像トラックが隠蔽される。本実施の形態の再生装置を含む一般的な再生装置で再生する場合、通常サイズの映像トラックが隠蔽されることで、縮小サイズの映像トラックが再生されることになり、再生を制限することができる。通常再生用のトラックを隠蔽する方法は、実施の形態２に示した方法を用いてトラック識別子を隠蔽することで可能となる。
【００９１】
再生制限を解除する方法については、実施の形態２に示した方法を用いて隠蔽された通常サイズの映像トラックを復元し、逆に縮小サイズの映像トラックを隠蔽することで可能となる。なお、本実施の形態の方法でさらに制限解除を段階的に分割して実施する場合には、その段階的な制限解除の各段階に対応した縮小サイズの映像トラックをデータ記憶部１０７のコンテンツデータ記憶部１４１に各々個別に記録することになる。
【００９２】
このように本実施の形態では、コンテンツデータを格納する場合には、コンテンツデータを、通常サイズでの再生用に元のサイズで格納することに加えて、縮小サイズでの再生用に縮小サイズにして別途に格納し、コンテンツデータの再生時の制限は、縮小サイズで再生することであり、制限を解除する場合には、通常サイズで再生する。
【００９３】
従って本実施の形態でも、実施の形態１と同様に、コンテンツデータの制限を解除するための専用設備が必要ではなく、集客効果の高い再生装置及びその制限解除方法を提供することができる。
【００９４】
実施の形態６．
本実施の形態では、位置検出部１０５で複数の位置情報が検出される場合で、さらに情報記憶部１０２にその複数の位置情報を格納する場合について説明する。
【００９５】
本実施の形態の再生装置では、情報記憶部１０２が、複数の位置情報を格納し、制御部１０１が、情報記憶部１０２に格納された前回の位置情報と、位置検出部１０５から出力された今回の位置情報を比較して携帯型コンテンツデータ再生装置が移動したか否かを判断し、移動した場合に再生制限を段階的に解除するように指示を制限解除部１０６に出力する。
【００９６】
本実施の形態の再生装置は、実施の形態１とは、図６のフローチャートに示した再生装置が制限解除場所に滞在開始時（位置検出部１０５からの位置情報が制限解除地域に合致時）における制御部１０１の動作の一部、図７のフローチャートに示した滞在単位時間到達通知の受信時における制御部１０１の動作の一部、および図１０のフローチャート５０２に示したイベント期間終了通知の受信時における制御部１０１の動作の一部とそれらに伴う動作の他は実施の形態１と同様であるので、以下の説明では関連部分を読み替えるのみである部分については説明を省略し、実施の形態１とは異なる処理について説明する。
【００９７】
図１２は、本実施の形態の再生装置が制限解除場所に滞在開始時（位置検出部１０５からの位置情報が制限解除地域に合致時）における制御部１０１の処理内容を示すフローチャートである。
図１２のステップＳ６１〜Ｓ６６までの処理内容は、図６のステップＳ２１〜２６までの処理内容とステップＳ６３とステップＳ６５の判断でＮＯの場合に進むステップが異なることを除けば同様であるのでステップＳ６６までの処理内容の説明は省略する。なお、ステップＳ６３とステップＳ６５の判断でＮＯの場合には処理を終了しないでステップＳ６８に進む点が異なっている。
【００９８】
計時部１０４の設定部１６１に、滞在単位時間に到達した場合に通知部１６２から制御部１０１に通知するように設定する（Ｓ６６）と、制御部１０１は、その滞在単位時間内に位置検出部１０５で検出される複数の位置情報を格納する領域（位置情報記憶部１３２）を情報記憶部１０２の中に設定する（Ｓ６７）。
【００９９】
次いで、制御部１０１は、位置検出部１０５で検出された複数の各位置情報を設定した格納領域（位置情報記憶部１３２）に順次格納し、滞在単位時間に到達するまでの全ての位置情報を記憶する（Ｓ６８）。
【０１００】
図１３は、計時部１０４の通知部１６２から再生装置の制限解除場所における滞在時間が単位時間以上になったことが通知（滞在単位時間到達通知）された制御部１０１の処理内容を示すフローチャートである。
図１３のステップＳ７１、Ｓ７４〜Ｓ７８、Ｓ８０、Ｓ８１の処理内容は、各々図７のステップＳ３１、Ｓ３２〜３６、Ｓ３７、Ｓ３８の処理内容と同様であるのでステップＳ７１、Ｓ７４〜Ｓ７８、Ｓ８０、Ｓ８１の処理内容の説明は省略する。
【０１０１】
滞在時間が単位時間以上になったことが通知された場合（Ｓ７１：ＹＥＳ）には、制御部１０１は、位置情報記憶部１３２から記憶されている全ての位置情報読み出し（Ｓ７２）、例えば、各々の位置情報を比較して相違点を検出することで再生装置が制限解除地域内で移動したか否かを判断する（Ｓ７３）。再生装置が移動していない場合（Ｓ７３：ＮＯ）には、全ての再生制限が解除されたか判断するステップＳ７７に進み、再生装置が移動している場合（Ｓ７３：ＹＥＳ）には、制御部１０１は、情報記憶部１０２の制限解除情報記憶部１３１内の制限解除実施回数記憶部１５５から再生制限の段階的な解除が実施された回数を読み出す（Ｓ７４）。以降の処理はステップＳ７８までは図７のステップＳ３２〜Ｓ３６と同様である。
【０１０２】
情報記憶部１０２の制限解除情報記憶部１３１内に書き込まれた各情報を削除した（Ｓ７８）制御部１０１は、情報記憶部１０２内の位置情報記憶部１３２の記憶内容を削除し（Ｓ７９）、それと共に、位置検出部１０５の各種処理を停止させ（Ｓ８０）、計時部１０４の各種処理も停止させる（Ｓ８１）。
【０１０３】
図１４は、計時部１０４の通知部１６２からイベント日時の終了時間に到達したことが通知された制御部１０１の処理内容を示すフローチャートである。このフローチャートは、当該コンテンツデータの段階的な再生制限が日時情報２０４に指定された期間内では全て解除できなかった場合の処理内容を示している。
図１４のステップＳ９１〜Ｓ９５までの処理内容は、図１０のステップＳ４１〜４５までの処理内容と同様であるのでステップＳ９５までの処理内容の説明は省略する。
【０１０４】
情報記憶部１０２の制限解除情報記憶部１３１内に書き込まれた各情報を削除した（Ｓ９５）制御部１０１は、情報記憶部１０２内に位置情報記憶部１３２が確保されているか否かを判断し（Ｓ９６）、位置情報記憶部１３２が確保されていない場合（Ｓ９６：ＮＯ）には、処理を終了し、位置情報記憶部１３２が確保されている（Ｓ９６：ＹＥＳ）には、位置情報記憶部１３２の記憶内容を削除して記憶領域を開放する（Ｓ９７）。
【０１０５】
このように本実施の形態の再生装置では、位置検出部１０５で複数の位置情報が検出される場合で、さらに情報記憶部１０２にその複数の位置情報を格納する場合に、情報記憶部１０２が、複数の位置情報を格納し、制御部１０１が、情報記憶部１０２に格納された前回の位置情報と、位置検出部１０５から出力された今回の位置情報を比較して携帯型コンテンツデータ再生装置が移動したか否かを判断し、移動した場合に制限を段階的に解除するように指示を制限解除部１０６に出力することができる。
【０１０６】
従って本実施の形態でも、実施の形態１と同様に、コンテンツデータの制限を解除するための専用設備が必要ではなく、集客効果の高い再生装置及びその制限解除方法を提供することができる。又、制限解除地域内で再生装置の現在位置が移動した場合に段階的に再生制限を解除することで、再生装置を保持するコンシューマが制限解除地域内（イベント会場）に居て移動していることが確実になることから、コンテンツデータの供給者側及びイベントの開催者側が希望する集客効果の確実性を高めることができる。
【０１０７】
尚、上記した各実施の形態ではコンテンツデータを入手するために通信回線を介してダウンロードする手法を用いて記載したが、本発明はこれに限られるものではなく、例えば、再生装置に小型のＦＬＡＳＨメモリを介してコンテンツデータを取り込んだり、赤外線通信によるデータ交換機能によりコンテンツデータを取り込む構成としても、同様な効果を得ることができる。
【図面の簡単な説明】
【０１０８】
【図１】本発明の実施の形態１の携帯型コンテンツデータ再生装置の概略構成を示すブロック図である。
【図２】実施の形態１で使用する再生制限が施された動画コンテンツデータファイルのデータ構成図である。
【図３】実施の形態１で使用する再生制限の解除情報を情報記憶部に記憶した場合の管理テーブルを示す図である。
【図４】実施の形態１の再生装置がコンテンツデータを受信した時の制御部の処理内容を示すフローチャートである。
【図５】実施の形態１の再生装置を制限解除するためのイベント日時到達通知を設定する場合の制御部の処理内容を示すフローチャートである。
【図６】実施の形態１の再生装置が制限解除場所に滞在開始時における制御部の処理内容を示すフローチャートである。
【図７】実施の形態１の計時部の通知部から再生装置の制限解除場所における滞在時間が単位時間以上になったことが通知された制御部の処理内容を示すフローチャートである。
【図８】実施の形態１の再生制限が実施されたコンテンツデータのファイル構成を示す図である。
【図９】図８の再生制限の一部が解除されたコンテンツデータのファイル構成を示す図である。
【図１０】実施の形態１の計時部の通知部からイベント日時の終了時間に到達したことが通知された制御部の処理内容を示すフローチャートである。
【図１１】実施の形態１の位置検出部からの現在位置情報がイベント地域情報記憶部に格納されたイベント地域情報に一致しなかった場合の制御部の処理内容を示すフローチャートである。
【図１２】実施の形態６の再生装置が制限解除場所に滞在開始時における制御部の処理内容を示すフローチャートである。
【図１３】実施の形態６の計時部の通知部から再生装置の制限解除場所における滞在時間が単位時間以上になったことが通知された制御部の処理内容を示すフローチャートである。
【図１４】実施の形態６の計時部の通知部からイベント日時の終了時間に到達したことが通知された制御部の処理内容を示すフローチャートである。
【符号の説明】
【０１０９】
１０１  制御部、  １０２  情報記憶部、  １０３  操作部、  １０４  計時部、  １０５  位置検出部、  １０６  制限解除部、  １０７  データ記憶部、  １０８  データ読み出し部、  １０９  再生処理部、  １１０  出力処理部、  １１１  表示部、  １１４  通信処理部、  １２１  コンテンツデータ再生プログラム、  １２２  ブロック分割部、  １３１  制限解除情報記憶部、  １３２  位置情報記憶部、  １３３  時刻情報記憶部、  １４１  コンテンツデータ記憶部、  １５１  イベント日時情報記憶部、  １５２  イベント地域情報記憶部、  １５３  必要滞在時間記憶部、  １５４  再生制限分割数記憶部、  １５５  解除実施回数記憶部、  １５６  制限解除単位時間記憶部、  １６１  設定部、  １６２  通知部、  ２００  コンテンツデータ、  ２０１  メディアヘッダ、  ２０２  メディアストリーム、  ２０３  制限解除情報、  ２０４  制限解除日時情報（日時情報、イベント日時情報）、  ２０５  制限解除地域情報（地域情報、イベント地域情報）、  ２０６  必要滞在時間情報、  ２０７  ブロック分割数、  ２０８  再生制御情報、  ６０１  制限解除時用再生制御情報、  ６０２  第１フレーム（映像データ）、  ６０３  第２フレーム（映像データ）、  ６０４  第３フレーム（映像データ）、  ６０５  再生制限用の映像データ。
【図１】
2007148884.tif 000003
【図２】
2007148884.tif 000004
【図３】
2007148884.tif 000005
【図４】
2007148884.tif 000006
【図５】
2007148884.tif 000007
【図６】
2007148884.tif 000008
【図７】
2007148884.tif 000009
【図８】
2007148884.tif 000010
【図９】
2007148884.tif 000011
【図１０】
2007148884.tif 000012
【図１１】
2007148884.tif 000013
【図１２】
2007148884.tif 000014
【図１３】
2007148884.tif 000015
【図１４】
2007148884.tif 000016